(57)【要約】【課題】シーリングなどが不要であり、耐久性が高い防水構造を有するコンテナを提供する。【解決手段】コンテナは、天井パネル１１、天井パネル１１に対向して配置される床パネル、及び天井パネル１１と床パネルの間に配置される壁パネル１３ａを接続部材１４でそれぞれ接続することにより組み立てられる。天井パネル１１の屋外側主面に表出する外側金属板２１は、天井パネル１１の側面Ｅより延長され、鉤状の先端部２４を少なくとも備える。天井パネル１１と壁パネル１３ａとの間を接続する接続部材１４は、外側金属板２１の先端部２４が嵌め込まれ固定される凹部２５と、凹部２５から天井パネル１１の屋内側主面２３に沿って延長され、天井パネル１１の屋内側主面２３に接続される天井パネル接続部２６と、天井パネル接続部２６から延長され、壁パネル１３ａに接続される壁パネル接続部２７とを備える。【選択図】図２
2008189350.tif 000002
【特許請求の範囲】
【請求項１】
天井パネル、前記天井パネルに対向して配置される床パネル、及び前記天井パネルと前記床パネルの間に配置される壁パネルを接続部材でそれぞれ接続することにより組み立てられるコンテナであって、
前記天井パネルの屋外側主面に表出する金属板は、前記天井パネルの側面より延長され、鉤状の先端部を少なくとも形成し、
前記天井パネルと前記壁パネルとの間を接続する前記接続部材は、
前記金属板の先端部が嵌め込まれる凹部と、
前記凹部から前記天井パネルの屋内側主面に沿って延長され、前記天井パネルの屋内側主面に接続される天井パネル接続部と、
前記天井パネル接続部から延長され、前記壁パネルに接続される壁パネル接続部とを備える
ことを特徴とするコンテナ。
【請求項２】
前記天井パネルの屋外側主面に表出する金属板は、
前記天井パネルの側面より延長された延長部と、
前記延長部の先端で前記壁パネル側へ曲げられた側壁部と、
前記側壁部の先端で前記天井パネルの側面に向かって曲げられた鉤状の前記先端部とを備え、
前記接続部材の凹部は、前記天井パネルの側面と前記延長部と前記側壁部とで囲まれる領域に配置されている
ことを特徴とする請求項１記載のコンテナ。
【請求項３】
前記壁パネルは、前記天井パネルの屋外側主面に表出する金属板の側壁部よりも屋内よりに位置するように前記接続部材に接続されることを特徴とする請求項２記載のコンテナ。
【請求項４】
前記凹部は、その上面と側面とが交差する角部分のうちいずれか一方であって、前記先端部の最先端部分が当接する側に突起部を備えることを特徴とする請求項１乃至３いずれか一項記載のコンテナ。
【発明の詳細な説明】
【技術分野】
【０００１】
本発明は、収納物を屋外の環境から保護するためのコンテナであって、複数の板状部材を組み立てて構成されるコンテナの防水構造に関する。
【背景技術】
【０００２】
鉄道、トラック、船或いは飛行機などで物資を輸送又は保管する際又は携帯電話などの無線中継基地を屋外に設置する際、物資や無線中継基地は、屋外の環境から保護するためにコンテナの中に収納される。そして、このようなコンテナは、通常、天井パネル、床パネル、及び天井パネルと床パネルの間に配置される壁パネルを、接続部材を用いて接続することにより組み立てられるのが一般的である。
【０００３】
従来、図５に示すように、天井パネル６１と壁パネル６３とを接続する場合、長手方向に垂直な断面がＬ字型の形状をするアングル６４ａ、６４ｂを２つ用意し、アングル６４ａ、６４ｂをコンテナの内側及び外側から天井パネル６１と壁パネル６３の接続箇所にそれぞれ当てる。そして、ビス６５ａ〜６５ｄを用いてアングル６４ａ、６４ｂを天井パネル６１と壁パネル６３に固定する。
【０００４】
コンテナを屋外で使用する場合、雨がコンテナ内へ侵入することを防ぐ必要がある。このため、アングル６４ａと天井パネル６１や壁パネル６３との隙間には、雨の侵入を防止するために防水材６６が挿入される。防水材６６としては、シリコンやゴム系のシーリングが用いられるが、これらの防水材６６は、数年（５年〜７年程度）の使用により損傷、劣化、割れなどが生じ、当該箇所から水が浸入してしまい、防水性に問題があった。
【０００５】
この防水性の問題に着目した関連技術として、例えば特許文献１がある。ここでは、壁パネルの下端部を床パネルの側面よりも外側に位置させることで、シーリング不要な防水構造を提案している。
【特許文献１】特開平１１−１４７５９４号公報
【発明の開示】
【発明が解決しようとする課題】
【０００６】
しかしながら、特許文献１では、床パネルと壁パネルの間の防水構造のみが記載され、天井パネルと壁パネルの間の防水構造についての記載及び示唆はない。コンテナの防水性は、床パネルと壁パネルの間に限らず、天井パネルと壁パネルの間についても重要な問題である。また、床パネルと壁パネルの間の防水構造をそのまま、天井パネルと壁パネルの間の防水構造に流用することはできない。よって、天井パネルと壁パネルの間に特有の防水構造が別途必要となる。
【０００７】
本発明は、上記問題点を解決するために成されたものであり、その目的は、耐久性が高い防水構造を有するコンテナを提供することである。
【課題を解決するための手段】
【０００８】
本発明の特徴は、天井パネル、この天井パネルに対向して配置される床パネル、及び天井パネルと床パネルの間に配置される壁パネルを接続部材でそれぞれ接続することにより組み立てられるコンテナであって、天井パネルの屋外側主面に表出する金属板は、天井パネルの側面より延長され、鉤状の先端部を少なくとも形成し、天井パネルと壁パネルとの間を接続する接続部材は、金属板の先端部が嵌め込まれる凹部と、凹部から天井パネルの屋内側主面に沿って延長され、天井パネルの屋内側主面に接続される天井パネル接続部と、天井パネル接続部から延長され、壁パネルに接続される壁パネル接続部とを備えることである。
【０００９】
天井パネルの屋外側主面に表出する金属板が延長されて鉤状の先端部を形成し、鉤状の先端部が天井パネルと壁パネルとの間を接続する接続部材の凹部に嵌め込まれて固定される。これにより、天井パネルの先端部と接続部材の凹部との隙間から雨水が浸入することを、シーリングなどの防水材を用いることなく、構造的に防止できる。したがって、耐久性の高い防水構造を有するコンテナを提供することができる。
【００１０】
本発明の特徴において、天井パネルの屋外側主面に表出する金属板は、天井パネルの側面より延長された延長部と、延長部の先端で壁パネル側へ曲げられた側壁部と、側壁部の先端で天井パネルの側面に向かって曲げられた鉤状の先端部とを備え、接続部材の凹部は、天井パネルの側面と延長部と側壁部とで囲まれる領域に配置されていることが望ましい。
【００１１】
接続部材の凹部が、天井パネルの側面と延長部と側壁部とで囲まれる領域に配置されることにより、当該領域において、金属板の先端部が接続部材の凹部に嵌め込まれることになり、凹部と先端部の間からの雨水の浸入をより正確に防止できる。したがって、耐久性を高く維持したまま防水性能を更に高めることができる。
【００１２】
本発明の特徴において、壁パネルは、天井パネルの屋外側主面に表出する金属板の側壁部よりも屋内よりに位置するように接続部材に接続されることが望ましい。
【００１３】
壁パネルが天井パネルの屋外側主面に表出する金属板の側壁部よりも屋内よりの位置に配置されることにより、金属板の側壁部より流下する雨水が壁パネルへ伝わることなく、水切りを行なうことができる。したがって、耐久性を高く維持したまま防水性能を更に高めることができる。
【００１４】
本発明の特徴において、凹部はその上面と側面とが交差する角部分のうちいずれか一方であって、金属板の先端部の最先端部分が当接する側に突起部を備えることが望ましい。これにより、金属板の先端部が凹部に嵌め込まれて、先端部の最先端部分が突起部に引っかかることにより、先端部が凹部から外れることがなくなり接続状態を維持することができる。
【発明の効果】
【００１５】
以上説明したように、本発明によれば、耐久性が高い防水構造を有するコンテナを提供することができる。
【発明を実施するための最良の形態】
【００１６】
以下図面を参照して、本発明の実施の形態を説明する。図面の記載において同一部分には同一符号を付している。
【００１７】
図１を参照して、本発明に係わるコンテナを適用した実施の形態の１つである携帯電話の無線中継基地用コンテナの全体構成を説明する。無線中継基地用コンテナは、天井パネル１１と、天井パネル１１に対向して配置された床パネル１２と、天井パネル１１と床パネル１２の間に配置される４枚の壁パネル１３ａ〜１３ｄと、天井パネル１１と壁パネル１３ａ〜１３ｄの間、及び床パネル１２と壁パネル１３ａ〜１３ｄの間をそれぞれ接続して固定する接続部材１４とを備える。無線中継基地用コンテナは、天井パネル１１、床パネル１２及び壁パネル１３ａ〜１３ｄを接続部材１４で接続することにより組み立てられる。なお、図１では接続部材１４の図示を省略している。
【００１８】
その他、無線中継基地用コンテナには、収納物である無線通信設備を搬入／搬出させるための扉１７、換気用ダクト１８、消火設備１９、赤色ランプ２０等が装備されている。
【００１９】
次に、図２及び図３（ａ）〜図３（ｃ）を参照して、無線中継基地用コンテナの天井パネル１１と壁パネル１３ａとを接続している部分の構成を詳細に説明する。図２は、無線中継基地用コンテナの天井パネル１１と壁パネル１３ａとの間を接続部材１４で接続している部分を拡大した図１のＡ−Ａ切断面に沿った断面図である。
【００２０】
図２に示すように、天井パネル１１は、第１の接続箇所Ｂ及び第２の接続箇所Ｃにおいて、接続部材１４に固定されている。一方、壁パネル１３ａは、第３の接続箇所Ｄにおいて、接続部材１４に固定されている。天井パネル１１は、屋外側主面に表出する外側金属板２１と、屋内側主面に表出する内側金属板２３と、外側金属板２１と内側金属板２３の間に挟まれるポリスチレンフォーム２２とを備える。外側金属板２１は、天井パネル１１の側面Ｅよりも外側へ直線状に延長され、途中の数カ所で曲げられ、延長された外側金属板２１の先端において、鉤状の先端部２４が形成されている。第１の接続箇所Ｂにおいて、鉤状の先端部２４は接続部材１４の凹部２５に嵌め込まれ固定されている。接続部材１４は、凹部２５から天井パネル１１の側面Ｅに沿って延長され、略直角に曲げられた後、内側金属板２３に沿って延長されている。そして、接続部材１４は、第２の接続箇所Ｃにおいて、リベット２６を用いて天井パネル１１の内側金属板２３に接続されている。接続部材１４は、第２の接続箇所Ｃから床パネル１２の方向に延長され、第３の接続箇所Ｄにおいて、ビス２７を用いて壁パネル１３ａに接続されている。
【００２１】
なおここでは、４枚ある壁パネル１３ａ〜１３ｄのうち１枚（壁パネル１３ａ）のみを図示して説明したが、その他の壁パネル１３ｂ〜１３ｄも同様にして接続部材１４を介して天井パネル１１に接続されている。
【００２２】
図３（ａ）を参照して天井パネル１１の構成を詳細に説明する。図３（ａ）は、図１のＡ−Ａ切断面に沿った天井パネル１１の断面図である。天井パネル１１は、外側金属板２１、ポリスチレンフォーム２２及び内側金属板２３の順番で積層した積層構造を有する。外側金属板２１は、天井パネル１１の側面Ｅより延長された延長部３１と、延長部３１の先端で壁パネル１３ａ側へ曲げられた側壁部３２と、側壁部３２の先端で天井パネル１１の側面Ｅに向かって曲げられた鉤状の先端部２４とを備える。側壁部３２は、所定の曲率により緩やかに略９０度曲げられているが、先端部２４は、これよりも鋭角に略９０度折り曲げられている。よって、天井パネル１１の側面Ｅ、延長部３１、側壁部３２、先端部２４によって、１つの領域が形成されることになる。また、内側金属板２３の先端は、外側金属板２１側へ天井パネル１１の側面Ｅに沿って約直角に折り曲げられており、天井パネル１１の強度を向上させている。
【００２３】
外側金属板２１及び内側金属板２３の材質は、アルミニウム、アルミニウム合金、又は鋼鉄などからなる。ポリスチレンフォーム２２（スタイロフォーム）の材質は、ポリスチレン、スチロール樹脂、スチレン樹脂等からなる。外側金属板２１及び内側金属板２３は、板金加工などにより図３（ａ）に示すような形状に折り曲げて形成される。そして、板状のポリスチレンフォーム２２の表裏面に外側金属板２１及び内側金属板２３をそれぞれ接着剤を用いて貼り付け、加熱しながら加圧し、その後、冷却することにより天井パネル１１は形成される。
【００２４】
図３（ｂ）を参照して接続部材１４の構成を詳細に説明する。図３（ｂ）は、図１のＡ−Ａ切断面に沿った接続部材１４の断面図であり、接続部材１４の長手方向に垂直な面で切断した断面図である。接続部材１４は、紙面に垂直な方向を長手方向とする長尺状物であり、外側金属板２１の先端部２４が嵌め込まれて固定される凹部２５と、凹部２５から天井パネル１１の側面Ｅ及び屋内側主面に沿って延長されたＬ字型の形状を有するＬ字部３５と、Ｌ字部３５から天井パネル１１の屋内側主面に沿って更に延長された天井パネル接続部３６と、天井パネル接続部３６から床パネル１２に向かって延長された壁パネル嵌込部３８ａ、３８ｂと、屋内側の壁パネル嵌込部３８ｂ上に形成された壁パネル接続部３７とを備える。なお、凹部２５、Ｌ字部３５及び壁パネル嵌込部３８ａ、３８ｂは、接続部材１４の長手方向に沿って連続して形成されている。
【００２５】
凹部２５は、上面と、底面と、前記上面と前記底面の間をつなぐ側面とからなるが、上面と側面とが交差する角部分のうちいずれか一方であって、図３（ａ）の先端部２４の最先端部分が当接する側に突起部３３を備える。外側金属板２１の先端部２４が凹部２５に嵌め込まれて、先端部２４の最先端部分が突起部３３に引っかかることにより、先端部２４が凹部２５から外れることがなくなり接続状態が維持される。
【００２６】
Ｌ字部３５は、図１の第１の接続箇所Ｂに配置された凹部２５と、第２の接続箇所Ｃに配置された天井パネル接続部３６とが一体を成すように繋ぎ合わせる機能を備え、更に、天井パネル１１の屋外側主面に降り落ち、外側金属板２１の延長部３１、そして側壁部３２へ流れ落ちる雨水を壁パネル１３ａへ伝わることなく、水切りを行なう機能をも備える。具体的には、Ｌ字部３５は、Ｌ字に折り曲げられる角部分から鉛直下方向に向かって延長された水切部３４を備える。水切部３４は、天井パネル１１の外側金属板２１上に降り落ち、外側金属板２１の延長部３１、そして側壁部３２へ流れ落ちる雨水を壁パネル１３ａへ伝わることなく、水切りを行なう。なおここでは、略垂直に折り曲げられたＬ字部３５を示したが、Ｌ字部３５の代わりに、鋭角に折り曲げて形成して水切部３４を省略しても、所定の曲率で曲げて形成しても構わない。
【００２７】
天井パネル接続部３６は、天井パネル１１の屋内側主面に表出した内側金属板２３に接する部分に形成された孔である。この孔（天井パネル接続部３６）から内側金属板２３に向かって図２のリベット２６が挿入されることにより天井パネル１１と接続部材１４が接続される。
【００２８】
壁パネル嵌込部３８ａ、３８ｂは、天井パネル接続部３６から壁パネル１３ａの厚み分だけの間隔を隔てて、鉛直下方向に延長されている。壁パネル１３ａは壁パネル嵌込部３８ａ、３８ｂの間に嵌め込まれて接続部材１４に対して固定される。
【００２９】
なお、接続部材１４の材質は、アルミニウム、アルミニウム合金、又は鋼鉄などからなる。また、接続部材１４の製造方法には、押し出し成形法などを採用することができる。
【００３０】
図３（ｃ）を参照して壁パネル１３ａの構成を詳細に説明する。図３（ｃ）は、図１のＡ−Ａ切断面に沿った壁パネル１３ａの断面図である。なお、その他の壁パネル１３ｂ〜１３ｄも壁パネル１３ａと同様な構成を有する。壁パネル１３ａは、ポリスチレンフォーム２２と同様に、ポリスチレンフォーム３９（スタイロフォーム）等の材質からなる平板である。壁パネル嵌込部３８ａ、３８ｂの間に嵌め込まれて接続部材１４に対して固定される壁パネル１３ａの表出部分には、金属材料からなる補強材４０が挿入されている。壁パネル嵌込部３８ａと補強材４０が図２のビス２７により第３の接続箇所Ｄにおいて接続される。補強材４０の材質は、アルミニウム、アルミニウム合金、又は鋼鉄などからなる。
【００３１】
次に、図４（ａ）〜図４（ｃ）を参照して、天井パネル１１、接続部材１４、及び壁パネル１３ａの組み立て方法を説明する。
【００３２】
（イ）先ず、図４（ａ）に示すように、天井パネル１１の外側金属板２１の延長部３１、側壁部３２及び先端部２４に対して、天井パネル１１の側面Ｅとは反対方向に外力を加えて、天井パネル１１の側面Ｅと延長部３１と側壁部３２と先端部２４で囲まれる領域の入口を広げる。
【００３３】
（ロ）そして、広げられた入口から接続部材１４の凹部２５を、天井パネル１１の側面Ｅと延長部３１と側壁部３２と先端部２４で囲まれる領域の中へ挿入して、凹部２５に先端部２４が嵌め込まれる位置において、外側金属板２１をもとの状態に戻す。これにより、図４（ｂ）に示すように、第１の接続箇所Ｂにおいて、凹部２５に先端部２４が嵌め込まれて固定されると同時に、天井パネル接続部３６が天井パネル１１の内側金属板２３に当接する。
【００３４】
（ハ）そして、第２の接続箇所Ｃにおいて、天井パネル接続部３６に形成された孔から内側金属板２３に向かってリベット２６を打ち込み、接続部材１４を内側金属板２３へ接続する。このように、第１の接続箇所Ｂ及び第２の接続箇所Ｃを含む複数の離間した部分において天井パネル１１と接続部材１４とが接続されることにより、天井パネル１１と接続部材１４の接続強度が向上する。なお、リベット２６の代わりにビスを用いても構わない。
【００３５】
（ニ）最後に、壁パネル嵌込部３８ａ、３８ｂの間に、壁パネル１３ａを挿入する。そして、図４（ｃ）に示すように、第３の接続箇所Ｄにおいて壁パネル嵌込部３８ａから壁パネル１３ａへ向かってビス２７を打ち込むことにより、接続部材１４を壁パネル１３ａへ接続する。なお、ビス止めを行なうのはコンテナ屋内側であるため、接続部材１４と壁パネル１３ａとの間にシーリングなどの防水剤を介入させる必要はない。また、ビス２７の代わりにリベットを用いても構わない。以上の手順を経て、図２に示したように天井パネル１１、接続部材１４、及び壁パネル１３ａを組み立てることができる。
【００３６】
以上説明したように、本発明の実施の形態に係わるコンテナによれば、以下の作用効果が得られる。
【００３７】
天井パネル１１の屋外側主面に表出する外側金属板２１は、天井パネル１１の側面Ｅより延長され、少なくとも鉤状の先端部２４を形成する。一方、天井パネル１１と壁パネル１３ａとの間を接続する接続部材１４は、外側金属板２１の先端部２４が嵌め込まれ固定される凹部２５と、凹部２５から天井パネル１１の屋内側主面に沿って延長され、天井パネル１１の屋内側主面に接続される天井パネル接続部３６と、天井パネル接続部３６から延長され、壁パネル１３ａに接続される壁パネル接続部３７とを備える。
【００３８】
天井パネル１１の外側金属板２１が延長されて鉤状の先端部２４を形成し、鉤状の先端部２４が天井パネル１１と壁パネル１３ａとの間を接続する接続部材１４の凹部２５に嵌め込まれて固定される。これにより、天井パネル１１の先端部２４と接続部材１４の凹部２５の間から雨水が浸入することを、シーリングなどの防水材を用いることなく、構造的に防止できる。したがって、耐久性の高い防水構造を有するコンテナを提供することができる。
【００３９】
天井パネル１１の屋外側主面に表出する外側金属板２１は、天井パネル１１の側面Ｅより延長された延長部３１と、延長部３１の先端で壁パネル１３ａ側へ曲げられた側壁部３２と、側壁部３２の先端で天井パネル１１の側面Ｅに向かって曲げられた鉤状の先端部２４とを備える。接続部材１４の凹部２５は、天井パネル１１の側面Ｅと延長部３１と側壁部３２とで囲まれる領域に配置されている。
【００４０】
接続部材１４の凹部２５が、天井パネル１１の側面Ｅと延長部３１と側壁部３２とで囲まれる領域に配置されることにより、この領域において、外側金属板２１の先端部２４が接続部材１４の凹部２５に嵌め込まれることになる。よって、外側金属板２１の側壁部３２より流下する雨水が先端部２４と凹部２５の間からこの領域内まで浸入することはさらに困難となるため、凹部２５と先端部２４の間からの雨水の浸入をより正確に防止できる。したがって、耐久性を高く維持したまま防水性能を更に高めることができる。
【００４１】
壁パネル１３ａは、天井パネル１１の屋外側主面に表出する外側金属板２１の側壁部３２よりも屋内よりの位置において組み立てられる。壁パネル１３ａが外側金属板２１の側壁部３２よりも屋内よりの位置に配置されることにより、外側金属板２１の側壁部３２より流下する雨水が壁パネル１３ａへ伝わることなく、水切りを行なうことができる。したがって、耐久性を高く維持したまま防水性能を更に高めることができる。
【００４２】
図５に示したように、従来、パネル６１、６３と接続部材（アングル６４ａ、６４ｂ）との接続箇所のうち、屋外に表出する箇所においては、シーリングなどの防水材６６を間に挟み、ビス６５ａ〜６５ｄなどを用いて接続することで雨水の浸入を防いでいた。しかし、この防水材６６は耐用年数が短く、時間の経過により損傷、劣化、割れなどが生じる。雨水は、この損傷、劣化、割れが発生した部分から毛細管現象によって容易にコンテナ内部に進入してしまい、コンテナ内部の金属部分に錆を形成してしまう。これに対して、本発明の実施の形態では、図２に示したように、天井パネル１１と壁パネル１３ａとの接続箇所Ｂ〜Ｄのうち、屋外に表出する箇所（第１の接続箇所Ｂ）においては、鉤状の先端部２４と凹部２５との嵌合により接続している。この嵌合部分ではシーリングなどの防水剤を使うことなく構造的に雨水の浸入を防ぐことができる。シーリングなどの防水材を用いる必要がなくなるので、耐久性の高い防水構造を有するコンテナを提供することができる。
【００４３】
また、図５に示す構造において、パネル６１、６３は、アングル６４ａ、６４ｂの長手方向（紙面に垂直な方向）に所定の間隔を持ってビス６５ａ〜６５ｄが打ち込まれて接続されている。すなわち、アングル６４ａ、６４ｂの長手方向に散在する複数の「点」で接続されている。これに対して、本発明の実施の形態では、図２に示したように、先端部２４と凹部２５との嵌合が、接続部材１４の長手方向（紙面に垂直な方向）に沿って連続して形成されている。すなわち、接続部材１４の長手方向に連続する「線」で接続されている。これにより、第１の接続箇所Ｂの接続強度は、従来のビスによる方法に比べて高くなる。
【００４４】
図４（ａ）に示したように、第１の接続箇所Ｂは、外側金属板２１の延長部３１、側壁部３２、先端部２４を少し押し広げ、その間から凹部２５を差し込むだけで組み立てることができる。よって、専用の工具、ジグ、組み立て装置などを必要とせず、簡便な方法により組み立てすることができる。
【００４５】
図３（ｂ）に示したように、凹部２５はその上面と側面とが交差する角部分のうちいずれか一方であって、図３（ａ）の先端部２４の最先端部分が当接する側に突起部３３を備える。外側金属板２１の先端部２４が凹部２５に嵌め込まれて、先端部２４の最先端部分が突起部３３に引っかかることにより、先端部２４が凹部２５から外れることがなくなり接続状態を維持することができる。
【００４６】
図４（ｂ）に示したように、第１の接続箇所Ｂ及び第２の接続箇所Ｃを含む複数の離間した部分において天井パネル１１と接続部材１４とが接続されることにより、天井パネル１１と接続部材１４の接続強度が向上する。
【００４７】
上記のように、本発明は、１つの実施の形態によって記載したが、この開示の一部をなす論述及び図面はこの発明を限定するものであると理解すべきではない。この開示から当業者には様々な代替実施の形態、実施例及び運用技術が明らかとなろう。即ち、本発明はここでは記載していない様々な実施の形態等を包含するということを理解すべきである。したがって、本発明はこの開示から妥当な特許請求の範囲に係る発明特定事項によってのみ限定されるものである。
【産業上の利用可能性】
【００４８】
天井パネルの屋外に表出する部材が延長されて鉤状の先端部を形成し、この先端部が側壁部分において接続部材の凹部に嵌め込まれて固定される。これにより、雨水の浸入をシーリングなどの防水材を用いることなく構造的に防止する用途に適用できる。
【００４９】
具体的には、鉄道、トラック（保冷車）、船或いは飛行機などで貨物輸送を行なう際に用いる箱又は容器及び、例えば、無線中継基地等、電波による情報伝送を目的とする無線設備（無線局）を収納する箱又は容器であって、屋外又は野外において使用することを目的とするコンテナに利用することができる。
【図面の簡単な説明】
【００５０】
【図１】本発明に係わるコンテナを適用した実施の形態の１つとして、携帯電話の無線中継基地用コンテナの全体構成を示す斜視図である。
【図２】図１の無線中継基地用コンテナにおいて天井パネル１１と壁パネル１３ａとの間を接続部材１４で接続している部分を拡大した、図１のＡ−Ａ切断面に沿った断面図である。
【図３】図３（ａ）は図１のＡ−Ａ切断面に沿った天井パネル１１の断面図であり、図３（ｂ）は図１のＡ−Ａ切断面に沿った接続部材１４の断面図であり、図３（ｃ）は図１のＡ−Ａ切断面に沿った壁パネル１３ａの断面図である。
【図４】図４（ａ）〜図４（ｃ）は、天井パネル１１、接続部材１４、及び壁パネル１３ａの組み立て方法を説明するための断面図である。
【図５】従来技術に係わる天井パネル６１、接続部材６４ａ、６４ｂ、及び壁パネル６３の接続箇所を拡大した断面図である。
【符号の説明】
【００５１】
１１  天井パネル
１２  床パネル
１３ａ〜１３ｄ  壁パネル
１４  接続部材
１７  扉
１８  換気用ダクト
１９  消火設備
２０  赤色ランプ
２１  外側金属板
２２  ポリスチレンフォーム
２３  内側金属板
２４  先端部
２５  凹部
２６  リベット（天井パネル接続部）
２７  ビス（壁パネル接続部）
３１  延長部
３２  側壁部
３３  突起部
３４  水切部
３５  Ｌ字部
３６  天井パネル接続部
３７  壁パネル接続部
３８ａ、３８ｂ  壁パネル嵌込部
３９  ポリスチレンフォーム
４０  補強材
【図１】
2008189350.tif 000003
【図２】
2008189350.tif 000004
【図３】
2008189350.tif 000005
【図４】
2008189350.tif 000006
【図５】
2008189350.tif 000007